(57)【要約】      （修正有）【課題】ポンプ式製品およびエアゾール式製品に備えられたシャットオフ機構において、外観の向上と、操作ボタンの抜け防止の確実化を図る。【解決手段】ノズルを避けるための深い切り込みに代えて、ノズルの相対移動に必要な長さの孔部１ｂを設けた操作ボタン１を用い、かつ、組み立て順序をヘッド２に対して、カム作用部材３ｃ→操作ボタン１→弁作用部材３ａおよびコイルスプリング５→ノズル４の順に組み付けることで、ヘッドに嵌合したノズルが当該孔部に貫通した状態となるようにした。【選択図】図１
2010105675.tif 000002
【特許請求の範囲】
【請求項１】
操作ボタンの作動モード設定操作の際に、先ずノズル放出孔に対する弁部材の後方向への移動により当該放出孔がそれまでの閉状態から開状態に設定され、続いて当該開状態のまま、容器本体と連通可能なステムおよびこれと一体化された内容物通過用部材が当該操作ボタンと連動して、作動モードに移行するシャットオフ機構において、
前記操作ボタンは、
鞘状の筐体からなり、
当該筐体の内部空間域に設定される前記弁部材を後方向へ駆動するためのカム作用面部分と、
当該筐体周面の、下端から連続する部分の上側に形成されたノズル用孔部と、を備えた鞘状部材であり、
前記ノズルは、
前記ノズル放出孔が前記ノズル用孔部から突出した状態で前記内容物通過用部材に取り付けられて、内部空間域には前記弁部材が配設された筒状部材であり、
前記弁部材は、
前記ノズル放出孔の開閉状態を設定する弁作用部材と、
当該弁作用部材との係合により一体化された状態で前記カム作用面部分と協働するカム作用部材と、の連結部材であり、
前記内容物通過用部材は、
前記ステムと嵌合する上流側筒状部と、
前記弁部材が配設された下流側筒状部と、を備えた単一部材である、
ことを特徴とするシャットオフ機構。
【請求項２】
請求項１記載のシャットオフ機構を備え、かつ、内容物を収容した、
ことを特徴とするポンプ式製品。
【請求項３】
請求項１記載のシャットオフ機構を備え、かつ、噴射用ガスおよび内容物を収容した、
ことを特徴とするエアゾール式製品。
【請求項４】
操作ボタンの作動モード設定操作の際に、ノズル放出孔に対する弁部材の後方向への移動により当該放出孔がそれまでの閉状態から開状態に設定され、続いて当該開状態のまま、容器本体と連通可能なステムおよびこれと一体化された内容物通過用部材が当該操作ボタンと連動して、作動モードに移行するシャットオフ機構の組立方法において、
先ず、前記弁部材の第１の構成要素であって前記操作ボタンのカム作用面部分と協働するカム作用部材を、その前側結合部分から、単一部材からなる前記内容物通過用部材の下流側筒状部に後方より入れて、当該下流側筒状部の後側部分に取り付け、
次に、当該取付け後の前記内容物通過用部材および前記カム作用部材に鞘状筐体の前記操作ボタンを、その周面の下端から連続する部分の上側に形成されたノズル用孔部が前記下流側筒状部の出口部分と対向し、また、前記カム作用面部分が前記カム作用部材に対応するように、被せ、
次に、前記弁部材の第２の構成要素であって前記ノズル放出孔の開閉状態を設定する弁作用部材を、その弁作用側が当該放出孔の方となるように前記ノズル用孔部から前記下流側筒状部に入れて、前記前側結合部分と結合させるとともに、
前記ノズルを、前記ノズル放出孔が前記ノズル用孔部から突出し、かつ、当該ノズルの内部空間域に前記弁作用部材が当該ノズル放出孔を閉じた状態で配設されるように、前記ノズル用孔部から前記下流側筒状部に入れて、当該下流側筒状部の内周面に取り付ける、
ことを特徴とするシャットオフ機構の組立方法。
【発明の詳細な説明】
【技術分野】
【０００１】
本発明は、容器本体の内容物の放出操作終了時に外部空間への放出孔を閉塞して、その近くの通路域に残留する内容物が当該放出孔から外部空間の方に漏出しないようにしたシャットオフ機構、すなわちポンプ式容器におけるたれ（固化）やエアゾール式容器におけるアウタードローなどを防止するシャットオフ機構や、このシャットオフ機構を持つポンプ式製品およびエアゾール式製品に関する。
【０００２】
本明細書においてはノズルの内容物放出孔側を「前」と記し、当該放出孔とは反対側のカバー体側を「後」と記す。
【０００３】
適用対象の内容物には、例えば液状またはクリーム状の石けん，シャンプー，リンス，化粧品，乳液や、発泡性のシェービングフォーム，ヘアスタイリングフォームをはじめとして、後述のように各種のものがある。
【背景技術】
【０００４】
内容物のたれ防止やアウタードロー対策を図るシャットオフ機構は例えば下記の文献で開示されている。
【０００５】
図４はこの文献のシャットオフ機構の操作ボタン回りを概略的に示す説明図であり、(a)は機構全体の外観斜視状態を示し、また、(b)は操作ボタン単体の外観斜視状態を示している。
【０００６】
なお、以下の各図（図１〜図４）におけるアルファベット付き参照番号の構成要素（例えば傾斜面１ａ）は原則として、当該参照番号の数字部分の構成要素（例えば操作ボタン１）の一部であることを示している。
【０００７】
図４において、
１１は鞘状筐体からなる押圧タイプの操作ボタン，
１１ａは操作対象となる押圧面部分，
１１ｂは周面下端側から上方向に形成された縦切欠部，
１１ｃは組立て後の操作ボタンが後述のヘッド１２から安易に抜けてしまうのを防止するため内周面下端側の周方向に形成されたヘッド係止用の下端側内向き環突状部
１１ｄは組立て後の操作ボタンが後述のキャップ１５から安易に抜けてしまうのを防止するため外周面下端側の周方向に形成されたキャップ係止用の外向き凸状部，
１２は内容物が通過するステム（図示省略）に取り付けられて、操作ボタン１１の押圧操作開始時から遅延する形で当該操作ボタンと下方に連動するヘッド，
１２ａは縦切欠部１１ｂの下側空間域（後述のノズル１３の下方空間域）全体のスペーサとして作用する凸状片部，
１２ｂは組立て後に操作ボタン１１の内向き環突状部１１ｃとの間で係止作用を呈する外向き環凸状部，
１３は前側部分が縦切欠部１１ｂの上側空間域から突出する形でヘッド１２に取り付けられたノズル，
１３ａは内容物の放出口，
１４は放出口１３ａを塞ぐ前方向にコイルスプリングなどの横方向弾性部材（図示省略）で付勢されて、かつ、操作ボタン１１の押圧操作時に遅延することなく後方へ移動する弁部材，
１５は内部にステム（図示省略）が配設されて操作ボタン１１およびヘッド１２が取り付けられるキャップ，
１５ａは上端側の周方向に形成されて組立て後に操作ボタン１１の外向き凸状部１１ｄとの間で係止作用を呈する上端側内向き環突状部，
をそれぞれ示している。
【０００８】
なお、ステムおよびこれと一体のヘッド１２，ノズル１３はコイルスプリングなどの縦方向弾性部材（図示省略）で上方向に付勢されている。
【０００９】
なお、ステム用の縦方向弾性部材の弾性駆動力は弁部材用の横方向弾性部材のそれよりも強く設定されている。
この弾性駆動力の強弱の違いにより、操作ボタン１１を押圧したときには先ず弁部材１４が後方へ移動し、それからステムが当該操作ボタンともに下動してステム側の内容物通過弁が開き、また、押圧操作を解除したときには先ずステムが上動して当該通過用弁が閉じ、それから弁部材１４が前方へ復帰して放出口１３ａが閉塞される。これらのことはいずれもシャットオフ機構の周知事項である。
【００１０】
内容物の放出操作にともない弁部材が弾性体部材の付勢力に抗しながら後方向に移動することにより、内容物放出孔が開放状態に設定される。この放出孔の開放後、周知のように、ヘッドおよびステムがステム付勢用の弾性力に抗する形で下動してその弁作用部が開くことにより作動モードに移行する。
【００１１】
内容物の放出操作を終了すると、同じく周知のように、先ずヘッドおよびステムがステム付勢用の弾性力で上動してその弁作用部が閉じ、続いて弁部材が弾性部材の付勢力によって初期状態の内容物放出孔を塞いだ状態に戻ることにより静止モードに復帰する。
【００１２】
このシャットオフ機構の組み立て方は、概略、
(11)弁部材１４の後側パーツであるカム作用部をヘッド１２の下流側筒状部の後方開口部に挿入して保持し、
(12)弁部材１４の前側パーツである弁作用部を、弾性部材に通した上でヘッド１２の下流側筒状部の前方開口部に入れることにより、カム作用部に嵌合させ、
(13)ノズル１３を、弁部材１４の弁作用部に被せるように、ヘッド１２の下流筒状部の前方開口部に係合させ、
(14)操作釦１１をヘッド１２の上方から、縦切欠部１１ｂの中にノズル１３が入り込むように取り付ける、
といった手順になる。
【００１３】
すなわち、ノズル１３をヘッド１２に係合させた後に、操作釦１１をヘッド１２の上方から被せるように取り付けている。
【特許文献１】特開２００５−２１２８０１号公報
【発明の開示】
【発明が解決しようとする課題】
【００１４】
このように、従来のシャットオフ機構は、操作ボタンの押圧面部分に加わる利用者の操作力をステムに伝達する機構中に、シール部やダイヤフラム部などの可撓性部材によって伸縮・回動するタイプのヘッドを設けていない。なお、この伸縮・回動タイプの上記特許文献１とは別のシャットオフ機構の場合、操作ボタンの下動開始とともに弁部材も下動しながら後方に移動してノズル放出口を開状態に設定する。
【００１５】
一方上記特許文献１のシャットオフ機構では、操作ボタン，弁部材およびヘッドはいわば剛体部分からなっており、操作ボタン押圧時に作用する力（例えばガイドしきれない横ぶれ）によって当該ヘッドの一部が劣化して隙間やひびが発生することもなく、漏洩の可能性を排除できる、といった利点を有している。なお、このシャットオフ機構の場合、操作ボタンの下動開始の段階では、弁部材は下動せずに後方向に移動するだけである。そして、弁部材は後方に移動しきってから操作ボタンとともに下動して作動モードとなる。
【００１６】
また、ノズルはその機能上、操作ボタンから突出した形状となるために（利用者が引っかけるなどして）外部からの力を受けやすいが、ノズル，ヘッドおよびステムの相互間がきつく結合しているので、ノズルに加わる外部からの力で内容物の放出通路が劣化して漏洩したり、シャットオフ機構の誤動作により放出孔が開いて漏洩したりすることもない点でも優れた機構になっている。
【００１７】
しかし、操作ボタンには、組み立てや操作の際のノズル対応のための深い縦切欠部１１ｂが必要となり、次の点で改善の余地を残していた。
(21)操作ボタンの成型寸法が、図示のＡ方向およびＢ方向にばらつきやすく、ポリプロピレンのような反りの生じやすい材料を採用しにくい。
(22)当該各方向の剛性が低くなって場合によってはヘッドから外れることもある。
(23)外観向上のため香水や化粧品の容器などで多く用いられる鞘状金属カバーを操作ボタンに被せた金冠タイプへ適用しにくい。
【００１８】
上記(23)の理由としては、操作ボタンに鞘状金属カバーを被せたとき、縦切欠部１１ｂの存在のため操作ボタン（の一部）が、当該金属カバーとの相互作用により内方に変形して金属カバー内周面の全体に当接した本来の被覆状態からいわばずれてしまうことである。このずれにより、鞘状金属カバーと操作ボタンとの十分な結合が確保されなくなったり、当該金属カバー対する押圧操作力が、その内側の操作ボタンに当該操作ボタンのみの場合と同じようには作用しなくなったりすることがありえる。
【００１９】
このようなことの対策として、操作ボタンの外周を押さえて変形を防ぐ部材を容器本体側に設けて、当該部材と操作ボタンとの間にも別途係止部を設けたり、切り込みに対応した凸部をヘッドに設けたりすることなどがとられている。
【００２０】
本発明では、シャットオフ機構の組み立て手順の見直しを行って、縦切欠部を不要とした操作ボタンの採用により、操作ボタン前面側の外観向上と、操作ボタンの抜け防止の確実化を図ることを目的とする。
【課題を解決するための手段】
【００２１】
本発明は、以上の課題を次のようにして解決する。
（１）操作ボタン（例えば後述の操作ボタン１）の作動モード設定操作の際に、先ずノズル放出孔（例えば後述の放出孔４ａ）に対する弁部材（例えば後述の弁棒３）の後方向への移動により当該放出孔がそれまでの閉状態から開状態に設定され、続いて当該開状態のまま、容器本体と連通可能なステム（例えば後述のステム６）およびこれと一体化された内容物通過用部材（例えば後述のヘッド２）が当該操作ボタンと連動して、作動モードに移行するシャットオフ機構において、
前記操作ボタンは、
鞘状の筐体からなり、
当該筐体の内部空間域に設定される前記弁部材を後方向へ駆動するためのカム作用面部分（例えば後述の傾斜面１ａ）と、
当該筐体周面の、下端から連続する部分の上側に形成されたノズル用孔部（例えば後述の孔部１ｂ）と、を備えた鞘状部材であり、
前記ノズル（例えば後述のノズル４）は、
前記ノズル放出孔が前記ノズル用孔部から突出した状態で前記内容物通過用部材に取り付けられて、内部空間域には前記弁部材が配設された筒状部材であり、
前記弁部材は、
前記ノズル放出孔の開閉状態を設定する弁作用部材（例えば後述の弁作用部材３ａ）と、
当該弁作用部材との係合により一体化された状態で前記カム作用面部分と協働するカム作用部材（例えば後述のカム作用部材３ｃ）と、の連結部材であり、
前記内容物通過用部材は、
前記ステムと嵌合する上流側筒状部（例えば後述の縦方向筒状部２ａ）と、
前記弁部材が配設された下流側筒状部（例えば後述の横方向筒状部２ｂ）と、を備えた単一部材とする。
（２）操作ボタンの作動モード設定操作の際に、ノズル放出孔に対する弁部材の後方向への移動により当該放出孔がそれまでの閉状態から開状態に設定され、続いて当該開状態のまま、容器本体と連通可能なステムおよびこれと一体化された内容物通過用部材が当該操作ボタンと連動して、作動モードに移行するシャットオフ機構の組立方法において、
先ず、前記弁部材の第１の構成要素であって前記操作ボタンのカム作用面部分と協働するカム作用部材を、その前側結合部分から、単一部材からなる前記内容物通過用部材の下流側筒状部に後方より入れて、当該下流側筒状部の後側部分に取り付け、
次に、当該取付け後の前記内容物通過用部材および前記カム作用部材に鞘状筐体の前記操作ボタンを、その周面の下端から連続する部分の上側に形成されたノズル用孔部が前記下流側筒状部の出口部分と対向し、また、前記カム作用面部分が前記カム作用部材に対応するように、被せ、
次に、前記弁部材の第２の構成要素であって前記ノズル放出孔の開閉状態を設定する弁作用部材を、その弁作用側が当該放出孔の方となるように前記ノズル用孔部から前記下流側筒状部に入れて、前記前側結合部分と結合させるとともに、
前記ノズルを、前記ノズル放出孔が前記ノズル用孔部から突出し、かつ、当該ノズルの内部空間域に前記弁作用部材が当該ノズル放出孔を閉じた状態で配設されるように、前記ノズル用孔部から前記下流側筒状部に入れて、当該下流側筒状部の内周面に取り付ける。
【００２２】
本発明は、このような構成のシャットオフ機構，当該シャットオフ機構を備えたポンプ式製品および当該シャットオフ機構を備えたエアゾール式製品ならびにシャットオフ機構の組立方法を対象としている。
【発明の効果】
【００２３】
本発明はこのように組み立て順序を変更することで、従来の、シャットオフ機構組立時のノズル回避用の操作ボタンの縦切欠部に代えて、シャットオフ作動に対応した長さのノズル用孔部を設けた操作ボタン形状としているので、操作ボタン前面の外観向上と、操作ボタンの抜け防止の確実化を図ることができる。
【発明を実施するための最良の形態】
【００２４】
図１〜図３を用いて本発明を実施するための最良の形態を説明する。
【００２５】
ここで、
図１は、本発明のシャットオフ機構の(a)斜視状態と(b)静止モード断面状態とを示し、
図２は、図１のシャットオフ機構の組立手順(s1)，(s2)を示し、
図３は、図２に続く組立手順(s3)，(s4)を示している。
【００２６】
上述したように、図１〜図３で用いるアルファベット付き参照番号の構成要素（例えば傾斜面１ａ）は原則として、当該参照番号の数字部分の構成要素（例えば操作ボタン１）の一部であることを示している。
【００２７】
図１〜図３において、
１は鞘状筐体からなる操作ボタン，
１ａは内側天面より垂下したカム作用片部に設けられて当該操作ボタンを押圧したときに後述のカム作用部材３ｃを後退させるための傾斜面，
１ｂは後述の当該操作ボタンの下端から離間した周面部分に形成されてノズル５が貫通する孔部，
２は操作ボタン１の押圧操作にともなう例えば下動時にその開始後所定状態になってから連動（下動）するヘッド，
２ａは容器本体側の後述のステム６と一体化されて当該ステムから続く上流側通路を構成する内容物通過用の縦方向筒状部，
２ｂは後述のノズル４と一体化されて、当該上流側通路から後述の放出孔４ａにいたる下流側通路を構成する内容物通過用の横方向筒状部，
２ｃは横方向筒状部２ｂの内周面の周方向に飛び飛びに設けられて後述のコイルスプリング５の一端側を保持する複数の突起部，
２ｄは横方向筒状部２ｂの内周面に設けられて後述の環状凸部４ｂが係合する環状凹部，
３はヘッド２の下流側通路などに配置されて静止モードにおいては前方端部が後述の放出孔４ａを閉塞する弁棒，
３ａは当該弁棒の前側部分であって放出孔４ａの開閉作用を呈する弁作用部材，
３ｂは弁作用部材３ａの外周面部分に設けられて後述のコイルスプリング５の他端側を保持する環状段部（複数の突起部），
３ｃは当該弁棒の後側部分であって弁作用部材３ａの後端側と係合することにより下流側通路を画定して、かつ、操作ボタン１の傾斜面１ａとの倣い作用により前後方向に移動するカム作用部材，
３ｄは操作ボタン１の傾斜面１ａとの倣い作用を呈するカム傾斜面，
３ｅは弁作用部材３ａの後端側外周面に設けられて後述の環凹状部３ｆに係合する環凸状部，
３ｆはカム作用部材３ｃの前側内周面に設けられた環凹状部，
４は横方向筒状部２ｂの前側内周面と嵌合する鞘状のノズル，
４ａは容器内容物の放出孔，
４ｂはノズル４の外周面に設けられた環凸状部，
５は弁棒３を前方に付勢するコイルスプリング，
６は縦方向筒状部２ａの下側開口部内周面に強く嵌合して上方向に弾性的に付勢されたステム，
７は容器本体の開口部に取り付けられるキャップ
をそれぞれ示している。
【００２８】
ここで、操作ボタン１，ヘッド２，弁棒３，ノズル４，ステム６およびキャップ７などはポリプロピレン，ポリエチレン，ポリアセタール，ナイロン，ポリブチレンテレフタレートなどからなるプラスチック製のものであり、スプリング５は金属製，プラスチック製のものである。
【００２９】
図１〜図３のシャットオフ機構の基本的特徴は
(31)操作ボタン１，ヘッド２および弁棒３がそれぞれ独立した別部材からなるシャットオフ機構において、
(32)弁棒３を、放出孔側の弁作用部材３ａと、放出孔４ａとは反対側のカム作用部材３ｃとの別部材を係合させたものとし、
(33)操作ボタン１の周面部にノズル４を通すためのいわば開口部として、図４のように下端まで伸びる縦切欠部ではなく、もっぱらノズル４と（当該ノズルに対する）操作ボタン１の上下動ストロークとに対応したサイズの孔部１ｂを下端から離れた周面部分に形成した、
ことである。
【００３０】
また、当然のことながら操作ボタン１の孔部１ｂの下方には操作ボタン自体の周面部分が形成されているので、ヘッド２に、図４の凸状片部１２ａのようなスペーサ部分を設ける必要はない。
【００３１】
操作モード設定操作およびその解除の際の各構成要素の経時的な動作自体は従来のシャットオフ機構と同等である。
【００３２】
本発明のシャットオフ機構の動作は概略、次のようになる。
(41)利用者が静止モードの操作ボタン１を押し下げる。
(42)操作ボタン１の下動によって、その傾斜面１ａとカム作用部材３のカム傾斜面３ｄとの倣い作用により弁棒３がコイルスプリング５の弾性力に抗するかたちで後退し、放出孔４ａが開放状態に設定される。
(43)その後、操作ボタン１の天面がヘッド２の上面凸部に当接すると操作ボタン１，ヘッド２およびステム６はいわば一体となって下動する。
(44)ステム６の下動によりその弁作用部が開いて、容器本体の内容物が「ステム６の中央通路−縦方向筒状部２ａ−横方向筒状部２ｂ−ノズル４の内部空間−放出孔４ａ」を経て外部空間に放出される。
【００３３】
利用者が操作ボタン１の押圧操作をやめると、シャットオフ機構は次のような（作動モード設定時とは逆の）動作を呈する。
(51)先ず、操作ボタン１およびヘッド２がステム６とともに当該ステムに対する周知の強い弾性復帰力によって静止モード位置まで上動する。この上動により、ステム側の弁作用部が閉じて容器本体側から縦方向筒状部２ａへの内容物流入動作が終了する。
(52)続いて、弁棒３が、コイルスプリング５の復帰力によって前方向に復帰して放出孔４ａを閉状態に設定する。なお、この弁棒復帰の際、操作ボタン１は、その傾斜面１ａとカム作用部材３ｃのカム傾斜面３ｄとの倣い作用により上動して静止モードの初期位置に復帰する。
【００３４】
本発明のシャットオフ機構の組み立て手順は、図２および図３に示すように、
(s1)先ず、カム作用部材３ｃをヘッド２の後端側から横方向筒状部２ｂに挿入して、カム傾斜面３ｄが上側となる形で組み込み、
(s2)次に、操作ボタン１をヘッド２の上方から被せるようにして、孔部１ｂが横方向筒状部２ｂの前側となり、また傾斜面１ａがカム傾斜面３ｄと当接する形で組み込み、
(s3)次に、コイルスプリング５に通した弁作用部材３ａを横方向筒状部２ｂの前方開口部から挿入して、当該弁作用部材の後端側の環凸状部３ｅをカム作用部材３ｃの前側内周面の環凹状部３ｆに係合させ、
(s4)次に、ノズル４をヘッドの横方向筒状部２ｂの前方開口部から挿入して、当該ノズル外周面の環凸状部４ｂを当該横方向筒状部の内周面の環凹状部２ｄに嵌合させる。
【００３５】
本発明が以上の実施形態に限定されないことは勿論であり、例えば上記(s3)，(s4)の組立を同時に行ってもよい。この場合、弁作用部材３ａ，ノズル４およびコイルスプリング５のセット単位のもの（例えばコイルスプリング５に通した状態の弁作用部材３ａをノズル４にいれたもの）を、横方向筒状部２ｂの前方開口部から挿入する。
【００３６】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００３７】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００３８】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００３９】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４０】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４１】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４２】
高分子化合物としては、メチルセルロース，ゼラチン，デンプン，カゼイン，ヒドロキシエチルセルロース，キサンタンガム，カルボキシビニルポリマーなどを用いる。
【００４３】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００４４】
さらに、上記内容物以外の、懸濁剤，紫外線吸収剤，乳化剤，保湿剤，酸化防止剤、金属イオン封鎖剤なども用いることができる。
【００４５】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００４６】
【図１】本発明のシャットオフ機構の、(a)斜視状態および(b)静止モード断面状態を示す説明図である。
【図２】図１のシャットオフ機構の組立手順(s1)，(s2)を示す説明図である。
【図３】図２に続く組立手順(s3)，(s4)を示す説明図である。
【図４】従来の、(a)シャットオフ機構の斜視状態および(b)シャットオフ機構における操作ボタンの斜視状態を示す説明図である。
【符号の説明】
【００４７】
（参照番号１〜７は図１，図２，図３で使用）
１：操作ボタン
１ａ：傾斜面
１ｂ：孔部
２：ヘッド
２：縦方向筒状部
２ｂ：横方向筒状部
２ｃ：突起部
２ｄ：環凹状部
３：弁棒
３ａ：弁作用部材
３ｂ：環状段部（複数の突起部）
３ｃ：カム作用部材
３ｄ：カム傾斜面
３ｅ：環凸状部
３ｆ：環凹状部
４：ノズル
４ａ：放出孔
４ｂ：環凸状部
５：コイルスプリング
６：ステム
７：キャップ
（参照番号１１〜１５ａおよびＡ，Ｂは図４のみで使用）
１１：操作ボタン
１１ａ：押圧面部分
１１ｂ：縦切欠部
１１ｃ：下端側内向き環突状部
１１ｄ：外向き凸状部
１２：ヘッド
１２ａ：凸状片部
１２ｂ：外向き環凸状部
１３：ノズル
１３ａ：放出口
１４：弁部材
１５：キャップ
１５ａ：上端側内向き環突状部
Ａ：周方向の変化
Ｂ：径方向の変化
【図１】
2010105675.tif 000003
【図２】
2010105675.tif 000004
【図３】
2010105675.tif 000005
【図４】
2010105675.tif 000006